(57)【要約】【課題】短いパイル長でも、パイルが抜けず、尚且つ、抗菌・防臭・消臭などの衛生機能が付加された機能性繊維をパイル糸として用いた両面カットパイル織物を、実現させることを課題とする。【解決の手段】テ糸とヨコ糸が交差した地組織から突出したパイル長が５ｍｍ以下であるタオルおよびハンカチ用途の両面カットパイル織物において、両面カットパイル織物を構成するパイル糸の構成糸に、綿繊維と、抗菌・防臭・消臭などの衛生機能が付加された機能性繊維から成る混紡糸を用い、この混紡糸における綿繊維の混紡率を２０％以上にする。【選択図】図１
2014025169.tif 000002
【特許請求の範囲】
【請求項１】
パイル糸がタテ糸とヨコ糸が交差した地組織に係止され、織物表面と裏面にパイル糸のカット面が突出し、タテ糸とヨコ糸が交差した地組織から突出したパイル長が５ｍｍ以下である両面カットパイル織物において、
（ａ）両面カットパイル織物を構成するパイル糸（１２）の構成糸に、綿繊維と、抗菌・防臭・消臭などの衛生機能が付加された機能性繊維（３１）から成る混紡糸（２２）を用い、
（ｂ）この混紡糸（２２）における綿繊維の混紡率が２０％以上であることを特徴とするタオルおよびハンカチ用途の両面カットパイル織物。
【発明の詳細な説明】
【技術分野】
【０００１】
本発明は、パイル糸がタテ糸とヨコ糸が交差した地組織に係止され、織物表面と裏面にパイル糸のカット面が突出し、タテ糸とヨコ糸が交差した地組織から突出したパイル長が５ｍｍ以下である両面カットパイル織物に関するものである。
【背景技術】
【０００２】
従来の、パイル糸がタテ糸とヨコ糸が交差した地組織に係止され、織物表面と裏面にパイル糸のカット面が突出したパイル糸から成る両面パイル織物の基本的なパイル糸、タテ糸、ヨコ糸の関係が実用新案（特許文献１参照）に公開されており、この両面パイル織物は毛布等パイル糸の長い用途に使用されるための改善がなされて来た。
【０００３】
その改善例として、特許願（例えば、特許文献２参照）には、効率的に裏面にパイルを形成させるための方法、パイル長に変化をもたせるための方法等が開示されている。
【０００４】
また、パイル長の短い両面パイル織物においてもパイル抜けしないための織組織も公開されている。
【０００５】
しかしながら、織組織等によりパイル抜けの研究はなされているものの、平滑性の高い繊維をパイル糸に用いる場合のパイル抜けに関する研究がなされていなかった。
【特許文献１】実用広告昭和３７−０２１３９０
【特許文献２】特開２０１０−０７７５５０（背景技術、請求項１）
【発明の開示】
【発明が解決しようとする課題】
【０００６】
特開２０１０−０７７５５０により開示されている織組織で、パイル長の短い両面カットパイル織物を製造してみたところ、綿繊維をパイル糸に使用する場合は、パイル抜けの発生はなかったものの、機能性繊維・レーヨン等の平滑性の高い繊維をパイル糸に用いた場合、パイル抜けが生じた。
【０００７】
そこで本発明は、短いパイル長でも、パイルが抜けず、尚且つ、抗菌・防臭・消臭などの衛生機能が付加された機能性繊維をパイル糸として用いた両面カットパイル織物を、実現させることを課題とする。
【課題を解決するための手段】
【０００８】
本発明に係る、パイル糸がタテ糸とヨコ糸が交差した地組織に係止され、織物表面と裏面にパイル糸のカット面が突出し、タテ糸とヨコ糸が交差した地組織から突出したパイル長が５ｍｍ以下であるタオルおよびハンカチ用途の両面カットパイル織物は、両面カットパイル織物を構成するパイル糸１２の構成糸に、綿繊維と、抗菌・防臭・消臭などの衛生機能が付加された機能性繊維３１から成る混紡糸２２を用い、この混紡糸２２における綿繊維の混紡率が２０％以上であることを特徴とする。
【０００９】
本発明によれば、抗菌・防臭・消臭などの衛生機能が付加された機能性繊維３１を綿繊維との混紡糸２２としてもちい、この混紡糸２２における綿繊維の混紡率を２０％以上にすることで、パイル糸が抜けず、抗菌・防臭・消臭などの衛生機能を有するタオル・ハンカチ用の両面カットパイル織物を実現することができる。
【発明の効果】
【００１０】
本発明によると、パイル糸がタテ糸とヨコ糸が交差した地組織に係止され、織物表面と裏面にパイル糸のカット面が突出し、タテ糸とヨコ糸が交差した地組織から突出したパイル長が５ｍｍ以下であるタオルおよびハンカチ用途の両面カットパイル織物において、パイル糸抜けという問題を解決した、抗菌・防臭・消臭などの衛生機能を有するタオル・ハンカチ用の両面カットパイル織物を得ることができる。
【発明を実施するための最良の形態】
【００１１】
以下、図面に示す実施の形態により、本発明を詳細に説明する。
【００１２】
図１は、最もパイル抜けを防止することが可能であると開示されているタオル・ハンカチ用途の両面カットパイル織物のタテ糸、ヨコ糸、パイル糸の構造を示したものである。
【００１３】
図１において、パイル糸１２の左右に配置される２条のタテ糸１０ａとタテ糸１０ｂが、パイル糸１２がヨコ糸１１に織り込まれている箇所で、同じ織組織で形成され、２条のタテ糸１０ａとタテ糸１０ｂの間で、１本のヨコ糸１１に係止されているパイル糸１２が１本で、パイル糸１２がヨコ糸１１に織り込まれている箇所で、パイル糸１２のヨコ糸１１に対する上下の配置位置が、タテ糸１０ａ、タテ糸１０ｂの配置位置の逆の配置位置となる織組織で構成され、１本のパイル糸１２を係止するヨコ糸１１の本数が３本で構成され、２条のタテ糸１０ａとタテ糸１０ｂの間に配置されているパイル糸が、パイル糸の両端が共に織物の表面に突出したパイル糸１２ａと、パイル糸の両端が共に織物の裏面に突出したパイル糸１２ｂで形成され、織物の表面に突出したパイル糸の突出部２０と、織物の裏面に突出したパイル糸の突出部２０の数が同じになるよう構成された両面カットパイル織物のタテ糸、ヨコ糸、パイル糸の構造を示したものである。
【００１４】
図２は、綿繊維３０が綿繊維と同じ直径の抗菌レーヨン繊維３１ａ・３１ｂ・３１ｃ・３１ｄ・３１ｅ・３１ｆの中央に混紡率１６．７％の状態で構成された混紡糸のモデルを示している。
【００１５】
図２に示すように、理論上は、綿繊維３０の直径の３倍の直径の円エリア４０の中に、綿繊維３０と同じ直径の抗菌レーヨン繊維は６個存在し、綿繊維３０は、綿繊維３０をとりまく６個の抗菌レーヨン繊維３１すべてに接した状態となり、混紡率１４．３％の状態で、綿繊維の摩擦力が綿繊維３０をとりまく６個の抗菌繊維３１すべてに影響を与えると言える。
【００１６】
そこで、本発明において、綿繊維３０の混紡率を２０％とした場合、実生産品において、パイル糸抜けが発生しないことを見出した。
【００１７】
図３は、綿繊維３０が綿繊維の直径の３倍の直径の円エリア４０の中に、綿繊維３０が２個、抗菌レーヨン繊維３１が５個構成された混紡率２８．６％の状態で構成された混紡糸のモデルを示している。
【００１８】
本発明においては、モデルとして考える場合、図３に示される構造が、図２に示される構造のものに対し０．６７倍以上存在するものである
【００１９】
なお、本発明においては、混紡の繊維の配置が、図２、図３の通りに構成されるものに限定するものでなく、混紡糸２２の中に綿繊維が重量比率で２０％以上混紡されていればよい。
【００２０】
なお、本発明の抗菌・防臭・消臭などの衛生機能を付加された機能性繊維３１は、ＪＩＳＬ−１９００２の菌液吸収法において、静菌活性値が２．２以上になる衛生機能繊維を使用することが望ましい。
【００２１】
また、実施例において、機能繊維を抗菌・防臭・消臭などの衛生機能を付加された機能性レーヨン繊維としたが、本発明の抗菌・防臭・消臭などの衛生機能を付加された機能性繊維３１は、機能繊維を抗菌・防臭・消臭などの衛生機能を付加された機能性レーヨン繊維に特化したものでなく、洗濯を何度繰り返しても有効成分が溶け出したりせず、衛生機能性が継続する繊維であればよい。
【図面の簡単な説明】
【００２２】
【図１】本発明に係る織物の斜視図である。
【図２】本発明に係る織物のパイル糸内の繊維断面モデル図である。
【図３】本発明に係る織物のパイル糸内の繊維断面モデル図である。
【符号の説明】
【００２３】
１０・１０ａ・１０ｂ・１０ｃ：タテ糸
１１・１１ａ・１１ｂ：ヨコ糸
１２・１２ａ・１２ｂ・１２ｃ・１２ｄ：パイル糸
２２：綿繊維の混紡糸
３０：綿繊維
３１ａ：抗菌・防臭・消臭などの衛生機能を付加された機能性レーヨン繊維
３１ｂ：抗菌・防臭・消臭などの衛生機能を付加された機能性レーヨン繊維
３１ｃ：抗菌・防臭・消臭などの衛生機能を付加された機能性レーヨン繊維
３１ｄ：抗菌・防臭・消臭などの衛生機能を付加された機能性レーヨン繊維
３１ｅ：抗菌・防臭・消臭などの衛生機能を付加された機能性レーヨン繊維
３１ｆ：抗菌・防臭・消臭などの衛生機能を付加された機能性レーヨン繊維
４０：綿繊維の直径３倍の円エリア
【図１】
2014025169.tif 000003
【図２】
2014025169.tif 000004
【図３】
2014025169.tif 000005